(57)【特許請求の範囲】
【請求項１】
遊技媒体の数を示す計数データによる景品交換の要求を要求者から受けた場合、前記景品交換に使用される計数データとして、前記要求者の遊技媒体の数を示す計数データを使用するか、前記要求者と同一グループに属する関係者の遊技媒体の数を示す計数データを使用するかに関する指示を受け付ける受付部と、
前記関係者の前記計数データを使用することが指示された場合、前記関係者の前記計数データを前記要求者が使用してよいかを認証装置に問合せる問合せ部と、
前記関係者の前記計数データの使用を前記認証装置が許可した場合、前記関係者の前記計数データを使用する前記景品交換を許可する交換許可部と、
少なくとも１人の前記関係者のそれぞれが予め定められた位置に存在するか否かを示す関係者情報を取得する関係者情報取得部と、
前記少なくとも１人の前記関係者のそれぞれの遊技媒体の数を示すそれぞれの計数データを含む遊技媒体情報を取得する第１遊技媒体情報取得部と
を備え、
前記受付部は、前記予め定められた位置に存在することが前記関係者情報に示されている前記関係者を前記要求者に通知し、
前記受付部は、前記景品交換に要する数以上の遊技媒体の数を示す計数データの前記関係者を前記要求者に通知する、
景品交換受付装置。
【請求項２】
前記関係者情報取得部は、前記少なくとも１人の前記関係者のそれぞれが遊技しているか否かを示す前記関係者情報を取得する、請求項１に記載の景品交換受付装置。
【請求項３】
前記第１遊技媒体情報取得部は、前記要求者の遊技媒体の数を示す計数データをさらに含む前記遊技媒体情報を取得し、
前記景品交換受付装置は、
前記景品交換の要求を前記要求者から受けた場合、前記要求者および前記少なくとも１人の前記関係者のうちの少なくとも１人の前記計数データに示される遊技媒体の数以下の数で前記景品交換が可能な少なくとも１つの景品を前記要求者に通知する景品通知部と、
前記景品通知部により通知された前記少なくとも１つの景品の中から前記景品交換の対象の景品を前記要求者に選択させる景品選択部と
をさらに備える請求項１または請求項２に記載の景品交換受付装置。
【請求項４】
前記要求者から前記景品交換の要求を受けた場合、前記景品交換に使用する計数データとして、前記要求者の前記計数データを使用するか、前記関係者の前記計数データを使用するかを前記要求者に選択させるための選択画面を第１表示部に表示させる第１表示制御部をさらに備える、請求項１から請求項３のいずれか１つ記載の景品交換受付装置。
【請求項５】
前記要求者および前記関係者の前記計数データは、遊技媒体管理機関に預けられている遊技媒体である貯遊技媒体の数を示す、請求項１から請求項４のいずれか１つに記載の景品交換受付装置。
【請求項６】
請求項１から請求項５のいずれか１つに記載の景品交換受付装置を備える台間機。
【請求項７】
請求項１から請求項５のいずれか１つに記載の景品交換受付装置と、
前記問合せ部から前記関係者の前記計数データを前記要求者が使用してよいか否かの問合せを受け付ける問合せ受付部、および前記問合せに応じて前記関係者の前記計数データを前記要求者が使用してよいか否かを認証する認証部を有する前記認証装置と
を備える景品交換受付システム。
【請求項８】
前記認証部から前記関係者への問合せ要求を受け付ける問合せ要求受付部、前記問合せ要求に応じて前記関係者の前記計数データの使用を前記要求者に許可するか否かを前記関係者に問合せ、問合せ結果を前記認証部に提供する許可問合せ部を有する問合せ処理装置をさらに備え、
前記認証部は、前記許可問合せ部からの問合せ結果に基づいて前記関係者の前記計数データの使用を前記要求者に許可するか否かを認証する、請求項７に記載の景品交換受付システム。
【請求項９】
前記問合せ部は、前記関係者の前記計数データに示される前記遊技媒体の数を前記要求者からの前記景品交換に要する数だけ減じてよいか否かの前記問合せを前記問合せ受付部に対して行い、
前記認証部は、前記景品交換に要する遊技媒体の数を示す情報を前記問合せ要求受付部に提供し、
前記問合せ処理装置は、
前記関係者の前記遊技媒体の数を示す前記計数データを含む遊技媒体情報を取得する第２遊技媒体情報取得部をさらに有し、
前記問合せ要求受付部は、前記景品交換に要する遊技媒体の数を示す前記情報を前記認証部から受け付け、
前記許可問合せ部は、前記関係者の前記計数データに示される前記遊技媒体の数が前記景品交換に要する遊技媒体の数以上である場合、前記関係者の前記計数データに示される前記遊技媒体の数を前記要求者からの前記景品交換に要する数だけ減じてよいか否かを前記関係者に問合せる、請求項８に記載の景品交換受付システム。
【請求項１０】
遊技媒体の数を示す計数データによる景品交換の要求を要求者から受けた場合、前記景品交換に使用される計数データとして、前記要求者の遊技媒体の数を示す計数データを使用するか、前記要求者と同一グループに属する関係者の遊技媒体の数を示す計数データを使用するかに関する指示を受け付ける受付部と、前記関係者の前記計数データを使用することが指示された場合、前記関係者の前記計数データを前記要求者が使用してよいかを認証装置に問合せる問合せ部と、前記関係者の前記計数データの使用を前記認証装置が許可した場合、前記関係者の前記計数データを使用する前記景品交換を許可する交換許可部とを備える景品交換受付装置と、
前記問合せ部から前記関係者の前記計数データを前記要求者が使用してよいか否かの問合せを受け付ける問合せ受付部、および前記問合せに応じて前記関係者の前記計数データを前記要求者が使用してよいか否かを認証する認証部を有する前記認証装置と、
前記認証部から前記関係者への問合せ要求を受け付ける問合せ要求受付部、前記問合せ要求に応じて前記関係者の前記計数データの使用を前記要求者に許可するか否かを前記関係者に問合せ、問合せ結果を前記認証部に提供する許可問合せ部を有する問合せ処理装置と
を備え、
前記認証部は、前記許可問合せ部からの問合せ結果に基づいて前記関係者の前記計数データの使用を前記要求者に許可するか否かを認証し、
前記問合せ部は、前記関係者の前記計数データに示される前記遊技媒体の数を前記要求者からの前記景品交換に要する数だけ減じてよいか否かの前記問合せを前記問合せ受付部に対して行い、
前記認証部は、前記景品交換に要する遊技媒体の数を示す情報を前記問合せ要求受付部に提供し、
前記問合せ処理装置は、
前記関係者の前記遊技媒体の数を示す前記計数データを含む遊技媒体情報を取得する第２遊技媒体情報取得部をさらに有し、
前記問合せ要求受付部は、前記景品交換に要する遊技媒体の数を示す前記情報を前記認証部から受け付け、
前記許可問合せ部は、前記関係者の前記計数データに示される前記遊技媒体の数が前記景品交換に要する遊技媒体の数以上である場合、前記関係者の前記計数データに示される前記遊技媒体の数を前記要求者からの前記景品交換に要する数だけ減じてよいか否かを前記関係者に問合せる、景品交換受付システム。
【請求項１１】
前記問合せ処理装置は、
前記許可問合せ部が、前記関係者の前記計数データに示される前記遊技媒体の数を前記要求者からの前記景品交換に要する数だけ減じてよいことを示す回答を前記関係者から受け付けた場合、前記関係者の前記計数データに示される前記遊技媒体の数を前記景品交換に要する数だけ減じる処理を命令する処理命令部をさらに有し、
前記許可問合せ部は、前記処理命令部による前記命令に応じて前記処理が完了したことに対応して、前記関係者の前記計数データの使用を前記要求者に許可することを示す前記問合せ結果を前記認証部に提供する、請求項９または請求項１０に記載の景品交換受付システム。
【請求項１２】
前記問合せ処理装置は、前記問合せ要求に応じて前記関係者の前記計数データの使用を前記要求者に許可するか否かを前記関係者に問合せるための問合せ画面を第２表示部に表示させる第２表示制御部をさらに有する、請求項８から請求項１１のいずれか１つに記載の景品交換受付システム。
【請求項１３】
複数の台間機のそれぞれが前記景品交換受付装置および前記問合せ処理装置を有する、請求項８から請求項１２のいずれか１つに記載の景品交換受付システム。
【発明の詳細な説明】
【技術分野】
【０００１】
本発明は、景品交換受付装置、台間機および景品交換受付システムに関する。
【背景技術】
【０００２】
特許文献１には、交換景品情報の示す景品の価値に相当する貯玉数が、貯玉情報の示す貯玉数よりも少ないときに、貯玉交換を可能にするワゴンサービス提供システムが開示されている。
特許文献１  特開２００４−２９８４３５号公報
【発明の概要】
【発明が解決しようとする課題】
【０００３】
遊技店などで提供されるワゴンサービスなどの遊技媒体を使用した景品交換において、利便性の向上が望まれている。
【課題を解決するための手段】
【０００４】
本発明の一態様に係る景品交換受付装置は、遊技媒体の数を示す計数データによる景品交換の要求を要求者から受けた場合、景品交換に使用される計数データとして、要求者の遊技媒体の数を示す計数データを使用するか、要求者と同一グループに属する関係者の遊技媒体の数を示す計数データを使用するかに関する指示を受け付ける受付部と、関係者の計数データを使用することが指示された場合、関係者の計数データを要求者が使用してよいかを認証装置に問合せる問合せ部と、関係者の計数データの使用を認証装置が許可した場合、関係者の計数データを使用する景品交換を許可する交換許可部とを備える。
【０００５】
上記景品交換受付装置は、少なくとも１人の関係者のそれぞれが予め定められた位置に存在するか否かを示す関係者情報を取得する関係者情報取得部をさらに備え、受付部は、予め定められた位置に存在することが関係者情報に示されている関係者を要求者に通知してよい。
【０００６】
上記景品交換受付装置は、関係者情報取得部は、少なくとも１人の関係者のそれぞれが遊技しているか否かを示す関係者情報を取得してよい。
【０００７】
上記景品交換受付装置は、少なくとも１人の関係者のそれぞれの遊技媒体の数を示すそれぞれの計数データを含む遊技媒体情報を取得する第１遊技媒体情報取得部をさらに備え、受付部は、景品交換に要する数以上の遊技媒体の数を示す計数データの関係者を要求者に通知してよい。
【０００８】
上記景品交換受付装置において、第１遊技媒体情報取得部は、要求者の遊技媒体の数を示す計数データをさらに含む遊技媒体情報を取得し、景品交換受付装置は、景品交換の要求を要求者から受けた場合、要求者および少なくとも１人の関係者のうちの少なくとも１人の計数データに示される遊技媒体の数以下の数で景品交換が可能な少なくとも１つの景品を要求者に通知する景品通知部と、景品通知部により通知された少なくとも１つの景品の中から景品交換の対象の景品を要求者に選択させる景品選択部とをさらに備えてよい。
【０００９】
上記景品交換受付装置は、要求者から景品交換の要求を受けた場合、景品交換に使用する計数データとして、要求者の計数データを使用するか、関係者の計数データを使用するかを要求者に選択させるための選択画面を第１表示部に表示させる第１表示制御部をさらに備えてよい。
【００１０】
上記景品交換受付装置において、要求者および関係者が所有する遊技媒体は、遊技媒体管理機関に預けられている遊技媒体である貯遊技媒体である。
【００１１】
本発明の一態様に係る台間機は、上記景品交換受付装置を備える。
【００１２】
本発明の一態様に係る景品交換受付システムは、上記景品交換受付装置と、問合せ部から関係者の計数データを要求者が使用してよいか否かの問合せを受け付ける問合せ受付部、および問合せに応じて関係者の計数データを要求者が使用してよいか否かを認証する認証部を有する認証装置とを備える。
【００１３】
上記景品交換受付システムは、認証部から関係者への問合せ要求を受け付ける問合せ要求受付部、問合せ要求に応じて関係者の計数データの使用を要求者に許可するか否かを関係者に問合せ、問合せ結果を認証部に提供する許可問合せ部を有する問合せ処理装置をさらに備え、認証部は、許可問合せ部からの問合せ結果に基づいて関係者の計数データの使用を要求者に許可するか否かを認証してよい。
【００１４】
上記景品交換受付システムにおいて、関係者の計数データに示される遊技媒体の数を要求者からの景品交換に要する数だけ減じてよいか否かの問合せを問合せ受付部に対して行い、認証部は、景品交換に要する遊技媒体の数を示す情報を問合せ要求受付部に提供し、
問合せ処理装置は、関係者の遊技媒体の数を示す計数データを含む遊技媒体情報を取得する第２遊技媒体情報取得部をさらに有し、問合せ要求受付部は、景品交換に要する遊技媒体の数を示す情報を認証部から受け付け、許可問合せ部は、関係者の計数データに示される遊技媒体の数が景品交換に要する遊技媒体の数以上である場合、関係者の計数データに示される遊技媒体の数を要求者からの景品交換に要する数だけ減じてよいか否かを関係者に問合せてよい。
【００１５】
上記景品交換受付システムにおいて、問合せ処理装置は、許可問合せ部が、関係者の計数データに示される遊技媒体の数を要求者からの景品交換に要する数だけ減じてよいことを示す回答を関係者から受け付けた場合、関係者の計数データに示される遊技媒体の数を景品交換に要する数だけ減じる処理を命令する処理命令部をさらに有し、許可問合せ部は、処理命令部による命令に応じて処理が完了したことに対応して、関係者の計数データの使用を要求者に許可することを示す問合せ結果を認証部に提供してよい。
【００１６】
上記景品交換受付システムにおいて、問合せ処理装置は、問合せ要求に応じて関係者の計数データの使用を要求者に許可するか否かを関係者に問合せるための問合せ画面を第２表示部に表示させる第２表示制御部をさらに有してよい。
【００１７】
上記景品交換受付システムは、複数の台間機のそれぞれが景品交換受付装置および問合せ処理装置を有してよい。
【００１８】
なお、上記の発明の概要は、本発明の特徴の全てを列挙したものではない。また、これらの特徴群のサブコンビネーションもまた、発明となりうる。
【図面の簡単な説明】
【００１９】
【図１】本実施形態に係る遊技媒体管理システムのシステム構成図の一例を示す図である。
【図２】台間機の外観斜視図の一例である。
【図３】ＰＯＳ端末の外観図の一例を示す図である。
【図４】カード読取装置の外観図の一例を示す図である。
【図５】遊技媒体管理装置の機能ブロックの一例を示す図である。
【図６】遊技媒体情報格納部に格納される遊技媒体情報の一例を示す図である。
【図７】顔認証装置の機能ブロックの一例を示す図である。
【図８】会員情報格納部に格納される会員に関する情報を示すテーブルの一例を示す図である。
【図９】台間機の機能ブロックの一例を示す図である。
【図１０】表示端末の機能ブロックの一例を示す図である。
【図１１】景品交換を要求する要求者の台間機での処理手順の一例を示すフローチャートである。
【図１２Ａ】景品交換の処理中に要求者の台間機の表示部に表示される画面の一例を示す図である。
【図１２Ｂ】景品交換の処理中に要求者の台間機の表示部に表示される画面の一例を示す図である。
【図１２Ｃ】景品交換の処理中に要求者の台間機の表示部に表示される画面の一例を示す図である。
【図１２Ｄ】景品交換の処理中に要求者の台間機の表示部に表示される画面の一例を示す図である。
【図１２Ｅ】景品交換の処理中に要求者の台間機の表示部に表示される画面の一例を示す図である。
【図１３】関係者情報取得部からの関係者情報の要求に応じて、顔認証装置が実行する処理手順の一例を示すフローチャートである。
【図１４】第１遊技媒体情報取得部から要求に応じて、遊技媒体管理装置が要求者および関係者の所有する貯遊技媒体の数を示す遊技媒体情報を要求者の台間機に提供する処理手順の一例を示すフローチャートである。
【図１５】要求者の台間機が、関係者の貯遊技媒体を使用してよいか否かを顔認証装置に問合せた場合の処理手順の一例を示すフローチャートである。
【図１６Ａ】問合せ要求を受けた関係者の台間機の表示部に表示される画面の例を示す図である。
【図１６Ｂ】問合せ要求を受けた関係者の台間機の表示部に表示される画面の例を示す図である。
【図１７】表示端末における景品交換サービスの処理手順の一例を示すフローチャートである。
【図１８Ａ】景品交換サービスの処理中に表示端末の表示部に表示される画面の一例を示す図である。
【図１８Ｂ】景品交換サービスの処理中に表示端末の表示部に表示される画面の一例を示す図である。
【図１８Ｃ】景品交換サービスの処理中に表示端末の表示部に表示される画面の一例を示す図である。
【発明を実施するための形態】
【００２０】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００２１】
図１は、本実施形態に係る遊技媒体管理システムのシステム構成図の一例を示す図である。遊技媒体管理システムは、台間機１００Ａ、台間機１００Ｂ、台間機１００Ｃ、台間機１００Ｄ、遊技媒体管理装置２００、端末制御装置３００、無線基地局３１０、顔認証装置３２０、台管理装置３３０、複数の表示端末４００、ＰＯＳ端末４２０、カード読取装置４３０、および遊技媒体管理機関５００を含む。台間機１００Ａ、台間機１００Ｂ、台間機１００Ｃ、および台間機１００Ｄは、総称して台間機１００と称する場合もある。
【００２２】
台間機１００は、遊技機に併設される。遊技機は、パチンコ台、パチスロ台など遊技者が遊技する装置である。台間機１００は、遊技者が遊技機で遊技する場合に、会員カード、プリペイドカードなどの有価価値記録媒体、または現金などにより遊技者が指定した度数、金額などを受け付け、受け付けた度数、金額などに応じた数の玉またはメダルなどの遊技媒体を貸し出す媒体貸出機である。
【００２３】
台間機１００は、貸し出した遊技媒体の数の情報を遊技媒体管理装置２００に供給する。台間機１００は、遊技者から遊技媒体を景品に交換する景品交換の要求および景品交換に関する情報を受け付ける。台間機１００は、景品交換の要求を表示端末４００を介して景品提供者である遊技店の店員に通知するように、端末制御装置３００に指示する。店員は、表示端末４００に表示された景品交換に関する情報を参照して、景品交換を要求した遊技者に景品を提供する。
【００２４】
ここで、景品とは、いわゆる一般景品であり、遊技者が遊技により獲得した遊技媒体の数に応じた金銭価値を有する品である。台間機１００を介して遊技媒体との交換が受け付けられる景品は、例えば、ワゴンサービスにより提供可能な飲食料品、嗜好品、および娯楽品のうち少なくとも1つでよい。
【００２５】
遊技者が所有する遊技媒体の中には、貯玉、貯メダルなどの貯遊技媒体および持玉、持メダルなどの持遊技媒体がある。貯遊技媒体は、例えば、第三者貯玉保証管理制度に従って遊技媒体を運用する遊技媒体管理機関５００に預けられている遊技媒体である。遊技媒体管理機関５００は、遊技店とは独立した機関でよい。持遊技媒体は、例えば、遊技媒体管理機関５００に預けられていない遊技媒体である。持遊技媒体は、一日などの予め定められた期間内で使用可能な遊技媒体でよい。また、貯遊技媒体は、予め定められた期間を過ぎて使用可能な遊技媒体でよい。さらに、貯遊技媒体が預けられる機関等は、遊技媒体管理機関５００以外でもよい。
【００２６】
通常、遊技者は、自身が仮想的に所有し、自身が自由に使用できる遊技媒体の数に応じた景品交換が可能であり、自身以外の者が仮想的に所有する遊技媒体の数に応じた景品交換をすることはできない。しかしながら、遊技者の家族などの特定の他の遊技者の遊技媒体の数に応じた景品交換ができれば、遊技者の利便性が向上する。
【００２７】
そこで、本実施形態に係る台間機１００は、遊技者が仮想的に所有し、遊技者が自由に使用できる遊技媒体の数を示す計数データのほかに、その遊技者に予め関連付けられた家族などの同一グループの関係者が仮想的に所有し、原則的にはその関係者以外が自由に使用できない遊技媒体の数を示す計数データを使用した景品交換をできるように構成する。台間機１００は、景品交換を要求してきた遊技者である要求者に、景品交換に利用する遊技媒体の数を示す計数データとして、要求者の遊技媒体の数を示す計数データ、または要求者と同一グループに属する関係者の遊技媒体の数を示す計数データを選択させる。
【００２８】
選択できる関係者は、現在遊技中の遊技者である関係者のみに制限してもよい。これにより、例えば、要求者が遊技中の遊技機に対応する台間機１００Ａは、関係者の遊技媒体の数を示す計数データが選択された場合、関係者が遊技中の遊技機に対応する台間機１００Ｂを介して、関係者の遊技媒体の数を示す計数データを要求者に使用させてよいかどうか問い合わせることができる。そして、関係者が使用してもよいと回答した場合のみ、関係者の台間機１００Ｂは、関係者の遊技媒体の数を示す計数データを使用して、要求者に対する景品交換の支払処理を実行し、その結果を要求者の台間機１００Ａに通知してよい。このように景品交換に使用する計数データとして、自身の遊技媒体の数を示す計数データ以外に自身と同一グループに属する関係者の遊技媒体の数を示す計数データを使用できるようにすることで、計数データを使用した景品交換の利便性を向上させることができる。
【００２９】
遊技媒体管理装置２００は、受け付けた現金、会員カードまたはプリペイドカードの残度数などの情報と共に、貸し出した遊技媒体の数の情報を管理する。遊技媒体管理装置２００は、遊技者毎に、遊技媒体管理機関５００に預けられている遊技媒体である貯遊技媒体の数、および遊技媒体管理機関５００に預けられていない遊技媒体である持遊技媒体の数を示す計数データを管理する。なお、景品交換に使用できる関係者の遊技媒体の数を示す計数データは、遊技媒体管理機関５００に預けられている遊技媒体である貯遊技媒体の数を示す計数データのみに制限してもよい。
【００３０】
遊技媒体管理装置２００は、定期的に、遊技者毎の貯遊技媒体の数を遊技媒体管理機関５００に提供する。遊技媒体管理装置２００は、例えば、遊技店の閉店後に、その遊技店が管理している遊技者毎の貯遊技媒体の数を遊技媒体管理機関５００に提供する。遊技媒体管理機関５００は、例えば、遊技店の開店前に、その遊技店が管理している遊技者毎の貯遊技媒体の数を遊技媒体管理装置２００に提供する。
【００３１】
端末制御装置３００は、台間機１００からの指示に応じて、遊技店の店員が保持する表示端末４００に無線基地局３１０を介して情報を提供する。無線基地局３１０は、いわゆるアクセスポイントであり、無線を介して表示端末４００と通信する。表示端末４００は、例えば、遊技者から景品交換の要求があったことを店員に通知する。表示端末４００は、景品交換に関する情報を店員に通知する。
【００３２】
顔認証装置３２０は、遊技者の顔認証を行う。顔認証装置３２０は、認証装置の一例である。顔認証装置３２０は、例えば、遊技機に座っている遊技者の顔画像と、その遊技者が使用している会員カードの会員番号に予め関連付けられている顔画像との比較に基づき、遊技者が会員カードに登録された人物であることを認証する。顔認証装置３２０は、定期的に遊技者の顔画像を取得して、過去の顔画像と現在の顔画像とを比較することで、遊技者が離席したかどうかを定期的に判断してもよい。
【００３３】
台管理装置３３０は、台間機１００に対応付けられた遊技機の稼動状況を管理する。台管理装置３３０は、例えば、遊技機で入賞した遊技媒体（セーフ球など）の数、および入賞しなかった遊技媒体（アウト球など）の数をカウントするカウンタから、入賞した遊技媒体の数、および入賞しなかった遊技媒体の数を示す情報を取得する。台管理装置３３０は、入賞した遊技媒体の数、または入賞しなかった遊技媒体の数の変化に基づいて、遊技機が稼動中か、稼動中でないかを判断してよい。つまり、台管理装置３３０は、入賞した遊技媒体の数、または入賞しなかった遊技媒体の数の変化に基づいて、遊技者が遊技中か遊技中でないかを判断してよい。顔認証装置３２０は、台管理装置３３０から定期的に遊技機が稼動中か否かを示す稼動情報を取得し、遊技者の顔画像と関連付けて、遊技者が存在する遊技機に関する稼動情報を管理してよい。
【００３４】
ＰＯＳ端末４２０は、販売時点情報管理装置であり、遊技店内の接客台などに設けられる。ＰＯＳ端末４２０は、要求者の会員カードを読み取る読取部を備える。店員は、接客台で景品交換を要求する要求者から会員カードを受け取り、会員カードを読取部で読み取らせる。ＰＯＳ端末４２０は、読み取った会員番号をキーとして、要求者の貯遊技媒体および持遊技媒体の数を示す計数データを遊技媒体管理装置２００から取得する。ＰＯＳ端末４２０は、景品交換に必要な遊技媒体の数に応じて、要求者の貯遊技媒体または持遊技媒体の支払処理を遊技媒体管理装置２００に指示する。カード読取装置４３０は、ＰＯＳ端末４２０と接続されている。カード読取装置４３０は、要求者の会員カードを読み取る読取部を備える。要求者が自身で会員カードの情報をカード読取装置４３０に読み取らせる場合に、カード読取装置４３０が利用されてよい。カード読取装置４３０で読み取られた要求者の会員番号などの情報は、ＰＯＳ端末４２０に提供される。
【００３５】
図２は、台間機１００の外観斜視図の一例である。台間機１００は、カード挿入部１０２、表示部１０６、および撮像部１３０を備える。カード挿入部１０２は、遊技者が所有する会員カードまたはプリペイドカードを挿入する挿入口である。表示部１０６は、遊技者に提供する情報を表示する。表示部１０６は、遊技者から指示を受け付けるタッチパネル形式の液晶パネルを含む。表示部１０６は、例えば、ワゴンサービスなどの景品交換に関する情報を表示する。表示部１０６は、遊技者からワゴンサービスなどの景品交換の要求を受け付ける。撮像部１３０は、台間機１００に併設されている遊技機に座っている遊技者の顔を含む画像を撮像する。
【００３６】
図３は、ＰＯＳ端末４２０の外観図の一例を示す図である。ＰＯＳ端末４２０は、タッチパネル形式の液晶パネル４２２、および読取部４２４を備える。店員は、液晶パネル４２２を介して、景品交換処理などの各種処理を実行してよい。読取部４２４は、会員カードに記憶された会員番号などの会員情報を読み取る。
【００３７】
図４は、カード読取装置４３０の外観図の一例を示す図である。カード読取装置４３０は、タッチパネル形式の液晶パネル４３２、および読取部４３４を備える。顧客が自身の会員カードを読取部４３４に読み取らせる。液晶パネル４３２は、顧客の貯遊技媒体および持遊技媒体の数などの会員情報を表示してよい。液晶パネル４３２は、景品の選択などの顧客からの指示を受け付けてよい。
【００３８】
図５は、遊技媒体管理装置２００の機能ブロックの一例を示す図である。遊技媒体管理装置２００は、遊技媒体情報格納部２０２、遊技媒体情報提供部２０４、および遊技媒体情報更新部２０６を備える。遊技媒体情報格納部２０２は、遊技者毎の貯遊技媒体の数および持遊技媒体の数を示す計数データを含む遊技媒体情報を格納する。遊技媒体情報格納部２０２は、遊技者の会員番号に関連付けて、貯遊技媒体の数および持遊技媒体の数を示す計数データを含む遊技媒体情報を格納してよい。遊技媒体情報提供部２０４は、台間機１００からの要求に応じて、指定された遊技者の貯遊技媒体の数および持遊技媒体の数を含む遊技媒体情報を台間機１００に提供する。遊技媒体情報提供部２０４は、定期的に、例えば一日単位で、遊技者毎の貯遊技媒体の数を示す計数データを含む遊技媒体情報を遊技媒体管理機関５００に提供してよい。
【００３９】
遊技媒体情報更新部２０６は、台間機１００からの要求に応じて、遊技媒体情報格納部２０２に格納された、指定された遊技者の貯遊技媒体の数および持遊技媒体の数を示す計数データを含む遊技媒体情報を更新する。遊技媒体情報更新部２０６は、定期的に、例えば一日単位で、遊技媒体管理機関５００から提供される遊技者毎の貯遊技媒体の数を示す計数データを含む遊技媒体情報に基づいて、遊技媒体情報格納部２０２に格納された遊技者毎の貯遊技媒体の数を更新してよい。
【００４０】
図６は、遊技媒体情報格納部２０２に格納される遊技媒体情報の一例を示す図である。遊技媒体情報格納部２０２には、会員番号に関連付けて、貯遊技媒体である貯玉の数、および持遊技媒体である持球の数が登録されたテーブルが格納される。
【００４１】
図７は、顔認証装置３２０の機能ブロックの一例を示す図である。顔認証装置３２０は、認証装置の一例である。顔認証装置３２０は、会員情報格納部３２２、顔画像取得部３２４、認証部３２６、および問合せ受付部３２８を備える。会員情報格納部３２２は、複数の遊技者の遊技者ＩＤのそれぞれに対応づけて顔画像およびグループ情報を格納する。会員情報格納部３２２は、複数の遊技者の会員番号のそれぞれに対応付けて、それぞれの遊技者の顔画像およびグループ情報を格納してよい。会員情報格納部３２２は、遊技者が遊技している遊技機に対応する台番号を格納してよい。会員情報格納部３２２に、会員番号に関連付けられて台番号が格納されている場合には、その遊技者は、現在遊技中である、つまり遊技機が稼動中であることを示す。顔認証装置３２０は、台管理装置３３０から提供される各遊技機の稼動情報に基づいて、会員情報格納部３２２に会員番号に関連付けて格納されている台番号を更新してよい。
【００４２】
顔画像取得部３２４は、台間機１００から認証要求を受信する。認証要求は、台間機１００の撮像部１３０により撮像された台間機１００に併設された遊技機の前に座っている遊技者の顔画像、カード挿入部１０２に挿入されている会員カードの会員番号、遊技者が利用する遊技機に対応する台番号を含んでよい。
【００４３】
認証部３２６は、遊技機の前に座っている遊技者の顔画像を、会員情報格納部３２２に格納されている複数の顔画像のそれぞれと比較する。認証部３２６は、比較結果に基づいて、その遊技者が、挿入されている会員カードの会員であるかそれ以外の遊技者であるかを判断する。その遊技者が、挿入されている会員カードの会員である場合、認証部３２６は、その遊技者の会員番号に関連付けて、その遊技者が利用する遊技機に対応する台番号を、会員情報格納部３２２に格納する。また、認証部３２６は、その遊技者が挿入されている会員カードの会員であると判断した場合、認証に成功したことを示す認証結果を台間機１００に提供する。認証部３２６は、その遊技者が挿入されている会員カードの会員でないと判断した場合、認証に失敗したことを示す認証結果を台間機１００に提供する。
【００４４】
問合せ受付部３２８は、景品交換を要求する要求者が使用している台間機１００から、要求者が選択した関係者の貯遊技媒体の数を示す計数データを要求者が使用してよいか否かの問合せを受け付ける。認証部３２６は、問合せに応じて関係者の貯遊技媒体の数示す計数データを要求者が使用してよいか否かを認証する。認証部３２６は、関係者が遊技している遊技機に対応する台間機１００に関係者への問合せ要求をし、関係者の台間機１００からの問合せ結果に基づいて関係者の貯遊技媒体の数を示す計数データを要求者が使用してよいか否かを認証してよい。会員情報格納部３２２に、それぞれの会員番号に関連付けて、同一グループの関係者の貯遊技媒体の数を示す計数データの使用の可否を予め登録しておいてもよい。この場合、認証部３２６は、同一グループの関係者から遊技媒体の使用を許可すると予め登録されている場合、関係者の台間機１００に問合せ要求をせずに、会員情報格納部３２２を参照して、関係者の貯遊技媒体の数を示す計数データを要求者が使用してよいかを認証してよい。
【００４５】
図８は、会員情報格納部３２２に格納される会員に関する情報を示すテーブルの一例を示す図である。会員情報格納部３２２は、会員番号、会員の顔画像、会員が属しているグループを識別するグループ情報、会員が遊技中の遊技機に対応する台番号を含むテーブルを格納している。認証部３２６は、台番号のフィールドに、台番号として数値が登録されている場合には、その会員が遊技中であると判断する。また、認証部３２６は、台番号としてＮｕｌｌ値が登録されている場合には、その会員は未遊技であると判断する。そして、認証部３２６は、台番号のフィールドに、台番号として数値が登録されている場合、その台番号に対応する台間機１００に、関係者が所有する遊技機を要求者が使用してよいか否かの問合せ要求をする。
【００４６】
図９は、台間機１００の機能ブロックの一例である。台間機１００は、要求者が用いる遊技機に対応する台間機である場合、第１台間機として機能する。要求者が用いる遊技機に対応する台間機が台間機１００Ａである場合、台間機１００Ａが第１台間機として機能する。また、台間機１００は、関係者が用いる遊技機に対応する台間機である場合、第２台間機として機能する。関係者が用いる遊技機に対応する台間機が台間機１００Ｂである場合、台間機１００Ｂが第２台間機として機能する。
【００４７】
台間機１００は、カード挿入部１０２、カード情報取得部１０４、表示部１０６、遊技処理部１０８、景品交換受付部１１０、撮像部１３０、画像処理部１３２、および問合せ処理部１４０を備える。景品交換受付部１１０は、景品交換受付装置の一例である。問合せ処理部１４０は、問合せ処理装置の一例である。表示部１０６は、第１表示部および第２表示部の一例である。
【００４８】
カード情報取得部１０４は、カード挿入部１０２に挿入されたカードに記憶されている会員番号などのカード情報を取得する。カード情報取得部１０４は、例えば、カード情報を遊技媒体管理装置２００に提供する。遊技媒体管理装置２００は、カード情報に示される会員番号などに基づいて、その会員の持遊技媒体および貯遊技媒体の数などの情報を特定し、台間機１００に提供する。遊技処理部１０８は、遊技者の遊技に応じた遊技処理を実行する。
【００４９】
画像処理部１３２は、撮像部１３０により撮像された画像から顔を含む顔画像を抽出する。画像処理部１３２は、画像内から顔を構成する部位の配置などのパターンにより顔を含む顔画像を抽出してよい。画像処理部１３２は、顔画像に含まれる顔の特徴量を導出してよい。特徴量は、人物などの対象物を識別可能な情報であればよく、画像の画素値の情報、または画像に含まれる顔の目、鼻、口の間隔または大きさ、肌の色、髪型などの外見的特徴を数値で示した情報などでよい。画像処理部１３２は、顔画像および特徴量を顔認証装置３２０に提供する。顔認証装置３２０は、画像処理部１３２から提供された顔画像および特徴量を用いて、遊技者の顔認証を行う。
【００５０】
景品交換受付部１１０は、台間機１００が景品交換を要求する要求者が遊技している遊技機に対応する台間機である場合、表示部１０６を介して要求者から景品交換の要求を受けたことに対応して、景品交換に使用する貯遊技媒体として、要求者の貯遊技媒体の数を示す計数データを使用するか、要求者と同一のグループに属する関係者貯遊技媒体の数を示す計数データを使用するかを要求者に選択させる。
【００５１】
問合せ処理部１４０は、台間機１００が、関係者が遊技している遊技機に対応する台間機である場合に、顔認証装置３２０を介して、関係者の計数データを要求者が使用してよいかを関係者に問合せるための問合せ要求を受け付ける。
【００５２】
景品交換受付部１１０は、受付部１１２、問合せ部１１４、交換許可部１１６、第１遊技媒体情報取得部１１８、関係者情報取得部１２０、景品通知部１２２、景品選択部１２４、第１処理命令部１２６、第１表示制御部１２８、および表示命令部１３４を備える。
【００５３】
第１表示制御部１２８は、表示部１０６に表示させる画面を制御する。表示部１０６は、例えばタッチパネル形式の液晶パネルでよい。第１表示制御部１２８は、要求者から景品交換の要求を受けた場合、景品交換に使用する計数データとして、要求者の計数データを使用するか、関係者の計数データを使用するかを要求者に選択させるための選択画面を表示部１０６に表示させる。受付部１１２は、計数データを使用する景品交換の要求を要求者から受けた場合、景品交換に使用する計数データとして、要求者の計数データを使用するか、要求者と同一グループに属する関係者の計数データを使用するかに関する指示を表示部１０６を介して受け付ける。
【００５４】
問合せ部１１４は、関係者の計数データを使用することが指示された場合、関係者の計数データを要求者が使用してよいかを顔認証装置３２０に問合せる。問合せ部１１４は、関係者の計数データに示される遊技媒体の数を要求者からの景品交換に要する数だけ減じてよいか否かの問合せを顔認証装置３２０に対して行ってよい。交換許可部１１６は、顔認証装置３２０からの認証結果に基づいて、関係者の計数データの使用を許可するか否かを判断する。
【００５５】
関係者情報取得部１２０は、要求者の会員番号および顔画像を顔認証装置３２０に提供して、顔認証装置３２０から要求者に対応する少なくとも１人の関係者のそれぞれが予め定められた位置に存在するか否かを示す関係者情報を取得する。予め定められた位置は、例えば、遊技機で遊技している場合に遊技者が座っている座席の位置に対応している。関係者情報取得部１２０は、関係者が遊技している場合に、関係者が遊技している遊技機に対応する台番号を、予め定められた位置に関係者が存在することを示す情報として含む関係者情報を取得する。関係者情報取得部１２０は、関係者が遊技していない場合には、予め定められた位置に関係者が存在することを示す情報として台番号を含まない関係者情報を取得する。
【００５６】
受付部１１２は、関係者情報に基づいて、要求者と同一グループに属するそれぞれの関係者が予め定められた位置に存在するか否かを判断する。受付部１１２は、予め定められた位置に存在することが関係者情報に示されている関係者を、表示部１０６を介して要求者に通知してよい。受付部１１２は、遊技中であることが関係者情報に示されている関係者を、表示部１０６を介して要求者に通知してよい。
【００５７】
第１遊技媒体情報取得部１１８は、例えば、カード情報取得部１０４が取得した要求者の会員番号および顔認証装置３２０から提供された少なくとも１人の関係者のそれぞれの会員番号を提供し、要求者の貯遊技媒体の数、および少なくとも１人の関係者のそれぞれの貯遊技媒体の数を示すそれぞれの計数データを含む遊技媒体情報を遊技媒体管理装置２００から取得する。受付部１１２は、遊技媒体情報に基づいて、遊技中である関係者のうち景品交換に要する数以上の貯遊技媒体の数を示す計数データの関係者を特定してよい。受付部１１２は、遊技中である関係者のうち景品交換に要する数以上の貯遊技媒体の数を示す計数データの関係者を、表示部１０６を介して要求者に通知してよい。
【００５８】
景品通知部１２２は、景品交換の要求を要求者から受けた場合、例えば景品と景品の交換に必要な遊技媒体の数とを関連付けたテーブルを参照して、遊技媒体情報に基づいて、要求者および少なくとも１人の関係者のうちの少なくとも１人の計数データに示される貯遊技媒体の数以下の数で景品交換が可能な少なくとも１つの景品を特定する。そして、景品通知部１２２は、特定された少なくとも１つの景品を表示部１０６を介して要求者に通知する。景品選択部１２４は、景品通知部１２２により通知された少なくとも１つの景品の中から景品交換の対象の景品を表示部１０６を介して要求者に選択させる。
【００５９】
交換許可部１１６は、景品交換に使用する計数データとして、要求者の計数データを選択した場合、景品交換に必要な遊技媒体の数が、要求者の計数データに示される遊技媒体の数以下であるかを判断する。交換許可部１１６は、景品交換に必要な遊技媒体の数が、要求者の計数データに示される貯遊技媒体の数以下である場合、要求者による景品交換を許可する。
【００６０】
第１処理命令部１２６は、要求者の計数データを使用した景品交換が許可された場合、要求者の計数データに示される貯遊技媒体の数を、景品交換に必要な遊技媒体の数だけ減じる処理を遊技媒体管理装置２００に命令する。遊技媒体管理装置２００は、命令を受けて、要求者の計数データに示される貯遊技媒体の数を、景品交換に必要な遊技媒体の数だけ減じる支払処理を実行して、支払処理が終了したことを交換許可部１１６に通知する。支払処理が終了したことの通知を交換許可部１１６が受けると、表示命令部１３４は、注文情報を端末制御装置３００に送信する。注文情報は、要求者の会員カードの会員番号および顔画像、選択された景品の情報、景品の数、引き落としされる遊技媒体が持遊技媒体か貯遊技媒体かを示す引き落とし方法、引き落としされる遊技媒体の数、要求者が遊技中の遊技機の台番号などの要求者が存在する場所の情報などを含んでよい。端末制御装置３００は、景品交換を担当する店員に対応する表示端末４００に注文情報を送信する。表示端末４００は、注文情報を表示して、店員に景品交換の注文を受け付けたことを通知する。
【００６１】
問合せ処理部１４０は、問合せ要求受付部１４２、許可問合せ部１４４、第２処理命令部１４６、第２遊技媒体情報取得部１４８、および第２表示制御部１５０を備える。第２表示制御部１５０は、表示部１０６に表示させる画面を制御する。問合せ要求受付部１４２は、顔認証装置３２０の認証部３２６から、関係者の計数データを要求者が使用してよいか否かを関係者へ問い合わせるための問合せ要求を受け付ける。第２表示制御部１５０は、問合せ要求に応じて、関係者の計数データの使用を要求者に許可するか否かを問い合わせるための問合せ画面を表示部１０６に表示させる。許可問合せ部１４４は、問合せ要求に応じて関係者の計数データの使用を要求者に許可するか否かを、表示部１０６を介して関係者に問合せ、問合せ結果を顔認証装置３２０の認証部３２６に提供する。
【００６２】
第２遊技媒体情報取得部１４８は、遊技媒体管理装置２００から関係者の貯遊技媒体の数を示す計数データを含む遊技媒体情報を取得する。問合せ要求受付部１４２は、問合せ要求とともに、景品交換に要する遊技媒体の数を示す情報を認証部３２６から受け付ける。許可問合せ部１４４は、関係者の計数データに示される貯遊技媒体の数が景品交換に要する遊技媒体の数以上である場合、関係者の計数データに示される貯遊技媒体の数を要求者からの景品交換に要する数だけ減じてよいか否かを表示部１０６を介して関係者に問合せる。
【００６３】
第２処理命令部１４６は、許可問合せ部１４４が、関係者の計数データに示される貯遊技媒体の数を要求者からの景品交換に要する数だけ減じてよいことを示す回答を表示部１０６を介して関係者から受け付けた場合、関係者の計数データに示される貯遊技媒体の数を景品交換に要する数だけ減じる支払処理を遊技媒体管理装置２００に対して命令する。第２処理命令部１４６は、処理命令部の一例である。
【００６４】
許可問合せ部１４４は、第２処理命令部１４６による命令に応じた支払処理を遊技媒体管理装置２００が完了させたことに対応して、関係者の計数データの使用を要求者に許可することを示す問合せ結果を顔認証装置３２０の認証部３２６に提供してよい。
【００６５】
図１０は、表示端末４００の機能ブロックの一例を示す図である。表示端末４００は、表示部４０２、表示制御部４０４、注文受付判定部４０６、およびサービス完了判定部４０８を備える。表示部４０２は、例えば、タッチパネル形式の液晶パネルである。表示部４０２は、端末制御装置３００からの指示に応じて、会員情報格納部３２２に予め格納されている要求者の顔画像、および顔認証装置３２０の会員情報格納部３２２に予め格納されている関係者の顔画像を含む景品交換要求情報などを表示する。注文受付判定部４０６は、表示部４０２に表示された景品交換要求情報を参照して、遊技者から要求された景品の交換が可能であるかことを確認して注文を受け付けたことを、店員が表示部４０２を介して指示したか否かを判定する。注文受付判定部４０６は、店員が注文を受け付けたと判定した場合、その旨を端末制御装置３００に通知する。端末制御装置３００は、注文を受け付けたことを台間機１００の表示部１０６を介して遊技者に通知するよう台間機１００に指示する。
【００６６】
サービス完了判定部４０８は、注文された景品が要求者に提供されたことを店員が表示部４０２を介して操作したか否かを判定する。なお、店員は、表示部４０２に表示されている、使用中の会員カードの会員に予め関連付けて会員情報格納部３２２に格納されている顔画像と、要求者の実際の顔とを比較して、要求者が会員本人であるか否かを目視により確認する。店員は、本人確認できた場合のみ、注文された景品を要求者である要求者に提供する。店員は、景品が要求者に提供されたことを表示部４０２を介して指示する。サービス完了判定部４０８は、注文された景品が要求者に提供されたと判定した場合、その旨を端末制御装置３００に通知する。端末制御装置３００は、注文された景品が要求者に提供されたという通知を受けて、表示端末４００への今回の景品交換に関する情報の表示を終了させるように表示端末４００に指示してよい。
【００６７】
図１１は、景品交換を要求する要求者の台間機での処理手順の一例を示すフローチャートである。以下、景品交換を要求する要求者の台間機が台間機１００Ａ、要求者から景品交換に自己の計数データの使用を依頼された関係者の台間機が台間機１００Ｂである場合を例に説明する。図１２Ａから図１２Ｅは、景品交換の処理中に要求者の台間機１００Ａの表示部１０６に表示される画面の一例を示す図である。
【００６８】
まず、遊技者が遊技機の前に座り、台間機１００Ａのカード挿入部１０２に会員カードを挿入すると、カード情報取得部１０４は、会員カードの挿入を検知して、挿入された会員カードから会員番号を取得する（Ｓ１００）。さらに、台間機１００Ａは、顔認証装置３２０に遊技者の認証要求を行う（Ｓ１０２）。台間機１００Ａは、台間機１００Ａに設けられた撮像部１３０により遊技者を撮像し、撮像された画像から遊技者の顔を含む顔画像を抽出し、顔画像を顔認証装置３２０に提供することで、遊技者の認証要求を行う。
【００６９】
認証要求後、台間機１００Ａの第１表示制御部１２８は、表示部１０６にメインメニュー画面を表示する（Ｓ１０４）。台間機１００Ａの第１表示制御部１２８は、メインメニュー画面として、例えば、図１２Ａに示すような画面を台間機１００Ａの表示部１０６に表示させてよい。メインメニュー画面は、遊技者が飲食料品、嗜好品、娯楽品などの景品を遊技者が遊技している遊技機の所まで持ってきてもらうサービスであるワゴンサービスを要求できる「景品交換」ボタンを含む。
【００７０】
遊技者により景品交換が選択されると（Ｓ１０６）、台間機１００Ａの関係者情報取得部１２０は、要求者の会員番号および顔画像を顔認証装置３２０に提供して、景品交換を要求した要求者と同一グループの関係者に関する関係者情報を顔認証装置３２０から取得する（Ｓ１０８）。
【００７１】
関係者情報には、関係者が遊技中であれば、関係者の会員番号に関連付けて、関係者が遊技中の遊技機に対応する台番号が含まれている。台間機１００Ａの受付部１１２は、関係者情報を参照して、遊技中の関係者がいるか否かを判定する（Ｓ１１０）。遊技中の関係者がいない場合、台間機１００Ａの受付部１１２は、要求者から関係者の貯遊技媒体を示す計数データを使用するか否かの選択をさせずに、要求者の貯遊技媒体を示す計数データを使用した通常の景品交換処理に移行する（Ｓ１３６）。通常の景品交換処理において、台間機１００Ａの景品通知部１２２は、要求者の計数データに示される貯遊技媒体の数以下で交換可能な少なくとも１つの景品を表示部１０６を介して要求者に通知する。台間機１００Ａの景品選択部１２４は、台間機１００Ａの表示部１０６を介し要求者から景品の選択を受け付ける。台間機１００Ａの第１処理命令部１２６は、選択された景品に要する数だけ要求者の計数データに示される貯遊技媒体の数を減じる支払処理を遊技媒体管理装置２００に命令する。遊技媒体管理装置２００による支払処理が完了すると、台間機１００Ａの表示命令部１３４は、注文情報を端末制御装置３００を介して店員の表示端末４００に通知する。注文情報には、要求者の会員番号および顔画像、選択された景品の情報、景品の数、引き落とし方法、引き落としされる遊技媒体の数、要求者が遊技中の遊技機の台番号などの要求者がいる場所の情報などを含んでよい。
【００７２】
一方、遊技中の関係者がいる場合には、台間機１００Ａの第１遊技媒体情報取得部１１８は、要求者および遊技中の関係者の貯遊技媒体の数を示すそれぞれの計数データを含む遊技媒体情報を遊技媒体管理装置２００から取得する（Ｓ１１２）。台間機１００Ａの受付部１１２は、遊技媒体情報を参照して、要求者および関係者のうち少なくとも１人の計数データに示される貯遊技媒体の数が、少なくとも１つの景品の交換に必要な遊技媒体の数以上であるか否かを判定する（Ｓ１１４）。要求者および関係者のうち少なくとも１人の計数データに示される貯遊技媒体の数が、少なくとも１つの景品の交換に必要な遊技媒体の数未満であれば、台間機１００Ａは、景品交換の処理フローから抜けて、通常の遊技処理を継続する（Ｓ１３８）。
【００７３】
要求者および関係者のうち少なくとも１人の計数データに示される貯遊技媒体の数が、少なくとも１つの景品の交換に必要な遊技媒体の数以上あれば、台間機１００Ａの景品通知部１２２は、要求者および関係者のうち少なくとも１人の計数データに示される貯遊技媒体の数以下で、交換可能な少なくとも１つの景品を示す景品交換メニュー画面を台間機１００Ａの表示部１０６に表示させる（Ｓ１１６）。
【００７４】
景品交換メニュー画面は、例えば、図１２Ｂおよび図１２Ｃに示すような画面でよい。要求者および関係者のうち少なくとも１人の計数データに示される貯遊技媒体の数が、景品交換に必要な数に満たない景品については、グレーアウトさせて要求者が選択できないようにしてもよい。
【００７５】
要求者が景品の選択操作をして、台間機１００Ａの景品選択部１２４が、台間機１００Ａの表示部１０６を介して要求者からの景品選択の指示を受け付けると（Ｓ１１８）、台間機１００Ａの受付部１１２は、選択された景品の交換に必要な数以上の貯遊技媒体の数を示す計数データの要求者または関係者のうちの少なくとも１人を選択可能な選択画面を台間機１００Ａの表示部１０６に表示させる（Ｓ１２０）。使用する貯遊技媒体を示す計数データの所有者を選択する選択画面は、例えば、図１２Ｄに示すような画面でよい。台間機１００Ａの受付部１１２は、要求者および関係者のうち、台番としてＮｕｌｌ値が登録されている人物、つまり未遊技である人物、および選択された景品の交換に必要な数以上の貯遊技媒体の数を示さない計数データの人物については、グレーアウトさせて要求者が選択できないようにしてもよい。
【００７６】
要求者が景品交換に使用する貯遊技媒体の数を示す計数データの所有者を選択すると（Ｓ１２２）、台間機１００Ａの受付部１１２は、その所有者が関係者であるか否かを判定する（Ｓ１２４）。所有者が要求者本人であれば、台間機１００Ａの受付部１１２は、要求者の計数データを使用した通常の景品交換処理に移行する（Ｓ１３６）。
【００７７】
景品交換に使用する貯遊技媒体の数を示す計数データの所有者が関係者であれば、問合せ部１１４が、顔認証装置３２０に関係者の貯遊技媒体の数を示す計数データを要求者が使用してよいか否かを問い合わせることで、関係者の貯遊技媒体の数を示す計数データを利用するための認証を顔認証装置３２０に依頼する（Ｓ１２６）。
【００７８】
顔認証装置３２０による認証処理の後、台間機１００Ａの問合せ部１１４は、顔認証装置３２０から認証結果を取得する（Ｓ１２８）。台間機１００Ａの交換許可部１１６は、認証結果を参照して、認証に成功したか否か、つまり関係者の貯遊技媒体の数を示す計数データを使用してよいか否かを判定する（Ｓ１３０）。認証に成功していない場合、台間機１００Ａは、景品交換の処理フローから抜けて、通常の遊技処理を継続する（Ｓ１３８）。
【００７９】
認証に成功した場合、台間機１００Ａの表示命令部１３４は、注文情報を端末制御装置３００に送信する。端末制御装置３００は、注文情報を受信すると、注文情報を景品交換を担当する店員の表示端末４００に送信し、表示端末４００の表示部４０２に注文内容を表示させる（Ｓ１３２）。表示命令部１３４は、注文情報を送信後、表示部１０６に図１２Ｅに示すような注文受付画面を表示させる（Ｓ１３４）。
【００８０】
以上の処理により、景品交換の要求者は、景品交換に使用する計数データとして、要求者本人以外に、要求者と同一グループに属する関係者の計数データを選択できる。したがって、計数データを使用した景品交換の利便性を向上させることができる。
【００８１】
図１３は、台間機１００Ａの関係者情報取得部１２０からの関係者情報の要求に応じて、顔認証装置３２０が実行する処理手順の一例を示すフローチャートである。
【００８２】
台間機１００Ａの関係者情報取得部１２０は、要求者の会員番号および顔画像を顔認証装置３２０に送信する。顔認証装置３２０は、要求者の会員番号および顔画像を受信すると（Ｓ２００）、顔認証装置３２０は、会員情報格納部３２２を参照して、要求者が属するグループ情報を取得する（Ｓ２０２）。
【００８３】
顔認証装置３２０は、グループ情報を取得できたか否かを判定する（Ｓ２０４）。顔認証装置３２０は、グループ情報を取得できていれば、グループに属する関係者の関係者情報を取得する（Ｓ２０６）。顔認証装置３２０は、関係者情報として、関係者の顔画像、関係者の会員番号、グループ情報、台番号を取得する。顔認証装置３２０は、関係者が遊技中でない場合には、台番としてＮｕｌｌ値を取得してよい。顔認証装置３２０は、取得した関係者情報を台間機１００Ａの関係者情報取得部１２０に送信し、台間機１００Ａに関係者情報取得部１２０は、関係者情報を受信して、台間機１００Ａの受付部１１２に提供する（Ｓ２０８）。
【００８４】
要求者と同一グループに属する関係者がいない場合には、顔認証装置３２０は、要求者に対応するグループがないことを台間機１００Ａの関係者情報取得部１２０に送信する。台間機１００Ａの関係者情報取得部１２０は、グループがないことを台間機１００Ａの受付部１１２に通知する（Ｓ２１０）。
【００８５】
以上の処理により、顔認証装置３２０は、要求者の台間機１００Ａからの要求に応じて、要求者と同一のグループに属する関係者がいるか否か、およびその関係者が現在遊技中であるか否か、および遊技中であれば、その遊技機で遊技中であるか否かを示す関係者情報を台間機１００Ａに提供する。
【００８６】
図１４は、要求者の台間機１００Ａの第１遊技媒体情報取得部１１８からの要求に応じて、遊技媒体管理装置２００が要求者および関係者の所有する貯遊技媒体の数を示す遊技媒体情報を台間機１００Ａに提供する処理手順の一例を示すフローチャートである。
【００８７】
台間機１００Ａの第１遊技媒体情報取得部１１８が、要求者が属するグループ内の全ての会員番号を遊技媒体管理装置２００に送信する。遊技媒体管理装置２００の遊技媒体情報提供部２０４は、会員番号を受信する（Ｓ３００）。遊技媒体管理装置２００の遊技媒体情報提供部２０４は、遊技媒体管理装置２００の遊技媒体情報格納部２０２を参照して、受信した会員番号に対応する貯遊技媒体の数を示す計数データを含む遊技媒体情報を取得する（Ｓ３０２）。遊技媒体管理装置２００の遊技媒体情報提供部２０４は、取得した遊技媒体情報を台間機１００Ａの第１遊技媒体情報取得部１１８に送信する。台間機１００Ａの第１遊技媒体情報取得部１１８は、遊技媒体情報を受信すると、遊技媒体情報を台間機１００Ａの受付部１１２に提供する（Ｓ３０４）。
【００８８】
遊技媒体管理装置２００の遊技媒体情報提供部２０４は、受信したグループ内の全ての会員番号について遊技媒体情報を取得したか否かを判定する（Ｓ３０６）。全ての会員番号について遊技媒体情報を取得していなければ、遊技媒体管理装置２００の遊技媒体情報提供部２０４は、全ての会員番号について遊技媒体情報を取得できるまで、ステップＳ３０２以降の処理を繰り返す。
【００８９】
以上の処理により、遊技媒体管理装置２００の遊技媒体情報提供部２０４は、要求者が属するグループ内のそれぞれの会員の貯遊技媒体の数を示す計数データを含む遊技媒体情報を収集して、要求者の台間機１００Ａに提供できる。
【００９０】
図１５は、要求者の台間機１００Ａが、関係者の貯遊技媒体の数を示す計数データを使用してよいか否かを顔認証装置３２０に問合せた場合の処理手順の一例を示すフローチャートである。図１６Ａおよび図１６Ｂは、問合せ要求を受けた関係者の台間機１００Ｂの表示部１０６に表示される画面の例を示す図である。
【００９１】
要求者の台間機１００Ａの問合せ部１１４が、関係者の貯遊技媒体の数を示す計数データを利用してよいか否かの問い合わせを顔認証装置３２０に送信する。台間機１００Ａの問合せ部１１４は、関係者の会員番号、要求者の会員番号、要求者が要求している景品に関する情報を顔認証装置３２０の認証部３２６に送信する。景品に関する情報には、例えば、景品の商品名、要求された景品の数、要求された景品の交換に必要な遊技媒体の数が含まれる。
【００９２】
顔認証装置３２０の認証部３２６が、問合せを受信すると（Ｓ４００）、顔認証装置３２０の認証部３２６は、顔認証装置３２０の会員情報格納部３２２を参照して、対象の関係者の関係者情報を取得する（Ｓ４０２）。顔認証装置３２０の認証部３２６は、関係者情報を参照して、対象の関係者の遊技機が稼動中であるか否か、つまり、対象の関係者が遊技中であるか否かを判定する（Ｓ４０４）。関係者の遊技機が稼動中でなければ、顔認証装置３２０の認証部３２６は、関係者の貯遊技媒体の利用を拒否する旨の回答を要求者の台間機１００Ａの問合せ部１１４に送信する。台間機１００Ａの問合せ部１１４は、関係者の貯遊技媒体の数を示す計数データの利用を拒否する旨の回答を受信する（Ｓ４３０）。
【００９３】
関係者の遊技機が稼動中であれば、顔認証装置３２０の認証部３２６は、関係者が、要求者と同一グループに属しているか否かを、顔認証装置３２０の会員情報格納部３２２を参照して判定する（Ｓ４０６）。関係者が同一グループに属していなければ、顔認証装置３２０の認証部３２６は、関係者の貯遊技媒体の利用を拒否する旨の回答を要求者の台間機１００Ａの問合せ部１１４に送信する（Ｓ４３０）。
【００９４】
関係者が同一グループに属していれば、顔認証装置３２０の認証部３２６は、関係者の貯遊技媒体の数を示す計数データの利用の可否についての問合せ要求を関係者の台間機１００Ｂに送信する。関係者の台間機１００Ｂの問合せ要求受付部１４２は、顔認証装置３２０の認証部３２６からの問合せ要求を受信する（Ｓ４０８）。台間機１００Ｂの問合せ要求受付部１４２が問合せ要求を受信すると、台間機１００Ｂの第２遊技媒体情報取得部１４８は、関係者の遊技媒体情報を遊技媒体管理装置２００に要求する。遊技媒体管理装置２００は、要求を受けて、関係者の遊技媒体情報を台間機１００Ｂの第２遊技媒体情報取得部１４８に提供する（Ｓ４１０）。
【００９５】
台間機１００Ｂの第２遊技媒体情報取得部１４８は、遊技媒体管理装置２００から関係者の遊技媒体情報を取得すると（Ｓ４１２）、関係者の遊技媒体情報を台間機１００Ｂの許可問合せ部１４４に提供する。台間機１００Ｂの許可問合せ部１４４は、関係者の遊技媒体情報を参照して、関係者の貯遊技媒体の数が、景品の交換に必要な数以上あるか否かを判定する（Ｓ４１４）。関係者の貯遊技媒体の数が、景品の交換に必要な数未満であれば、台間機１００Ｂの許可問合せ部１４４は、関係者の貯遊技媒体の数が、景品の交換に必要な数未満であることを顔認証装置３２０の認証部３２６に通知して、顔認証装置３２０の認証部３２６は、関係者の貯遊技媒体の利用を拒否する旨の回答を要求者の台間機１００Ａの問合せ部１１４に送信する（Ｓ４３０）。
【００９６】
関係者の貯遊技媒体の数が、景品の交換に必要な数以上である場合、台間機１００Ｂの許可問合せ部１４４は、台間機１００Ｂの表示部１０６に図１６Ａに示すような利用許可問合せ画面を表示して、関係者の計数データに示される貯遊技媒体の数を要求者からの景品交換に要する数だけ減じてよいか否かの問合せを関係者に行う（Ｓ４１６）。関係者が問合せに対する回答操作をすると（Ｓ４１８）、台間機１００Ｂの許可問合せ部１４４は、関係者の回答に基づいて、関係者が貯遊技媒体の数を示す計数データの使用を許可したか否かを判定する（Ｓ４２０）。
【００９７】
関係者の回答が拒否である場合、台間機１００Ｂの許可問合せ部１４４は、関係者の回答が拒否であることを顔認証装置３２０の認証部３２６に通知して、顔認証装置３２０の認証部３２６は、関係者の貯遊技媒体の利用を拒否する旨の回答を要求者の台間機１００Ａの問合せ部１１４に送信する（Ｓ４３０）。
【００９８】
関係者の回答が許可である場合、台間機１００Ｂの第２処理命令部１４６は、選択された景品に要する数だけ関係者の貯遊技媒体の数を減じる支払処理を遊技媒体管理装置２００に命令する（Ｓ４２２）。遊技媒体管理装置２００による支払処理が完了すると、台間機１００Ｂの第２処理命令部１４６は、遊技媒体管理装置２００から支払完了を受け付ける（Ｓ４２４）。支払完了を受けて、台間機１００Ｂの許可問合せ部１４４は、図１６Ｂに示すような支払完了画面を表示部１０６に表示させる（Ｓ４２６）。さらに、台間機１００Ｂの許可問合せ部１４４は、関係者の貯遊技媒体の数を示す計数データの使用を許可する旨の回答を認証部３２６に送信する（Ｓ４２８）。顔認証装置３２０の認証部３２６は、関係者の貯遊技媒体の数を示す計数データの使用を許可する旨の回答を受けて、認証に成功した旨を要求者の台間機１００Ａの問合せ部１１４に送信する。
【００９９】
以上の処理により、要求者が関係者の貯遊技媒体の数を示す計数データを使用してよいかどうかを直接関係者に確認してから、要求者が関係者の計数データの使用が許可される。よって、要求者が、関係者の合意を得ることなく無断で関係者の貯遊技媒体を示す計数データを使用することを防止できる。
【０１００】
図１７は、表示端末４００における景品交換サービスの処理手順の一例を示すフローチャートである。図１８Ａから図１８Ｃは、景品交換サービスの処理中に表示端末４００の表示部４０２に表示される画面の一例を示す図である。
【０１０１】
表示制御部４０４は、図１１のステップＳ１３２で示すように要求者の台間機１００Ａから送信された注文情報を端末制御装置３００を介して注文情報を受信して、図１８Ａに示すような注文受付画面を表示部４０２に表示している。店員が、注文受付画面を参照して、注文された景品が提供できると判断すると、注文受付画面上で店員が注文受付の操作を実行する（Ｓ５００）。注文受付画面には、会員情報格納部３２２に格納された要求者として特定された遊技者の顔画像、会員番号、グループ名、氏名が登録カードの情報として含まれる。さらに、注文受付画面には、会員情報格納部３２２に格納された、貯遊技媒体の使用が許可された関係者に対応する顔画像、会員番号、グループ名、氏名が利用カードの情報として含まれる。また、注文受付画面には、要求者が遊技中の遊技機の台番号が、要求者がいる場所の情報として含まれる。
【０１０２】
そして、図１８Ａに示す注文受付画面上の「受付」ボタンをタッチすることで、店員は注文受付の操作を実行する。注文受付判定部４０６は、注文受付画面上で店員が注文受付の操作を実行したか否かを判定する。
【０１０３】
注文受付判定部４０６は、注文受付の操作が実行されたことを検知すると、注文受付完了を端末制御装置３００に送信する（Ｓ５０２）。要求者の台間機１００Ａは、端末制御装置３００を介して注文受付完了を受信する（Ｓ５０４）。次いで、要求者の台間機１００Ａの第１表示制御部１２８は、図１２Ｅに示すような注文受付画面を台間機１００Ａの表示部１０６に表示する（Ｓ５０６）。台間機１００Ａの表示部１０６に注文受付画面が表示されると、台間機１００Ａは、注文受付画面が正常に表示されたことを示す注文完了受付を端末制御装置３００を介して表示端末４００に送信し（Ｓ５０８）、表示端末４００は、注文完了受付を受信する（Ｓ５１０）。
【０１０４】
表示端末４００が注文完了受付を受信すると、端末制御装置３００は、お届け情報画面を表示部４０２に表示するよう表示端末４００に指示する。表示制御部４０４は、図１８Ｂに示すようなお届け情報画面を表示部４０２に表示する（Ｓ５１２）。
【０１０５】
店員は、景品の準備および遊技者への景品の運搬を行い（Ｓ５１４）、表示部４０２に表示されたお届け情報画面を参照して、実際に景品を要求してきた人物が、登録カードの顔画像、または利用カードの顔画像と同一人物であるか否かを目視で確認することで、本人確認を行う（Ｓ５１６）。
【０１０６】
本人であることを確認できれば（Ｓ５１８）、店員は、景品として例えば飲料品を要求者に提供する（Ｓ５２０）。飲料品などの景品の提供が完了すると、店員は、景品の提供が終了したことを示すお届け完了の操作を実行する（Ｓ５２２）。店員は、図１８Ｂに示すお届け情報画面上の「完了」ボタンをタッチすることで、お届け完了の操作を実行する。サービス完了判定部４０８は、お届け情報画面上の「完了」ボタンがタッチされたか否かを判定することで、注文された景品が遊技者に提供されたか否かを判定する。サービス完了判定部４０８は、お届け情報画面上の「完了」ボタンがタッチされたと判定すると、お届け完了を端末制御装置３００に送信する（Ｓ５２４）。端末制御装置３００は、お届け完了を受信すると（Ｓ５２６）、端末制御装置３００は、図１８Ｃに示すようなお届け完了画面を表示部４０２に表示するよう表示端末４００に指示する。指示を受けて、表示制御部４０４は、お届け完了画面を表示部４０２に表示する（Ｓ５２８）。一定時間経過後、表示制御部４０４は、お届け完了画面を閉じて、お届け完了処理を行う（Ｓ５３０）。
【０１０７】
本人であることが確認できなければ（Ｓ５１８）、店員は、お届け情報画面上の「キャンセル」ボタンをタッチすることで、キャンセル処理を実行する（Ｓ５３２）。サービス完了判定部４０８は、お届け情報画面上の「キャンセル」ボタンがタッチされたことと判定した場合、注文キャンセルを端末制御装置３００に送信する。端末制御装置３００は、注文キャンセルを受信すると、端末制御装置３００は、キャンセル画面を表示部４０２に表示するよう表示端末４００に指示する。指示を受けて、表示端末４００は、キャンセル画面を表示する（Ｓ５３４）。
【０１０８】
以上の通り、景品の提供を行う店員が所持する表示端末４００には、要求者の顔画像と、関係者の顔画像とが表示される。要求者の顔画像が表示されることで、要求者と、要求者が使用している会員カードに対して登録されている会員とが同一人物であるかどうかを目視で確認できる。よって、他人の会員カードが不正に使用されることを未然に防ぐことができる。
【０１０９】
以上、本実施形態によれば、貯遊技媒体の数を示す計数データを使用した景品交換の要求者は、要求者が所有する貯遊技媒体の数を示す計数データの他に、要求者と同一グループに属する関係者の貯遊技媒体の数を示す計数データを使用して、景品交換をすることができる。したがって、貯遊技媒体の数を示す計数データを使用した景品交換の利便性を向上させることができる。
【０１１０】
なお、本実形態に係る台間機１００が備える各部は、台間機１００における景品交換受付に関する各種処理を行う、コンピュータ読み取り可能な記録媒体に記録されたプログラムをインストールし、このプログラムをコンピュータに実行させることで、構成してもよい。つまり、コンピュータに台間機１００の景品交換受付に関する各種処理を行うプログラムを実行させることにより、台間機１００が備える各部としてコンピュータを機能させることで、台間機１００を構成してもよい。
【０１１１】
また、本実施形態では、台間機１００が、景品交換受付部１１０および問合せ処理部１４０を備える例について説明した。しかし、景品交換受付部１１０および問合せ処理部１４０は、遊技者、または遊技者の指示に応じて処理をする店員が操作可能な装置であれば、他の装置に設けられてもよい。例えば、ＰＯＳ端末４２０またはカード読取装置４３０が景品交換受付部１１０を備えてもよい。
【０１１２】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【０１１３】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【０１１４】
１００  台間機
１０２  カード挿入部
１０４  カード情報取得部
１０６  表示部
１０８  遊技処理部
１１０  景品交換受付部
１１２  受付部
１１４  問合せ部
１１６  交換許可部
１１８  第１遊技媒体情報取得部
１２０  関係者情報取得部
１２２  景品通知部
１２４  景品選択部
１２６  第１処理命令部
１２８  第１表示制御部
１３０  撮像部
１３２  画像処理部
１３４  表示命令部
１４０  問合せ処理部
１４２  要求受付部
１４４  許可問合せ部
１４６  第２処理命令部
１４８  第２遊技媒体情報取得部
１５０  第２表示制御部
２００  遊技媒体管理装置
２０２  遊技媒体情報格納部
２０４  遊技媒体情報提供部
２０６  遊技媒体情報更新部
３００  端末制御装置
３１０  無線基地局
３２０  顔認証装置
３２２  会員情報格納部
３２４  顔画像取得部
３２６  認証部
３２８  問合せ受付部
３３０  台管理装置
４００  表示端末
４０２  表示部
４０４  表示制御部
４０６  注文受付判定部
４０８  サービス完了判定部
４２０  ＰＯＳ端末
４２２  液晶パネル
４２４  読取部
４３０  カード読取装置
４３２  液晶パネル
４３４  読取部
５００  遊技媒体管理機関
【図１】
0006447037.tif 000002
【図２】
0006447037.tif 000003
【図３】
0006447037.tif 000004
【図４】
0006447037.tif 000005
【図５】
0006447037.tif 000006
【図６】
0006447037.tif 000007
【図７】
0006447037.tif 000008
【図８】
0006447037.tif 000009
【図９】
0006447037.tif 000010
【図１０】
0006447037.tif 000011
【図１１】
0006447037.tif 000012
【図１２Ａ】
0006447037.tif 000013
【図１２Ｂ】
0006447037.tif 000014
【図１２Ｃ】
0006447037.tif 000015
【図１２Ｄ】
0006447037.tif 000016
【図１２Ｅ】
0006447037.tif 000017
【図１３】
0006447037.tif 000018
【図１４】
0006447037.tif 000019
【図１５】
0006447037.tif 000020
【図１６Ａ】
0006447037.tif 000021
【図１６Ｂ】
0006447037.tif 000022
【図１７】
0006447037.tif 000023
【図１８Ａ】
0006447037.tif 000024
【図１８Ｂ】
0006447037.tif 000025
【図１８Ｃ】
0006447037.tif 000026